(57)【特許請求の範囲】
【請求項１】
漢方薬を購入した顧客に代わって漢方薬の生薬を浸煎し浸煎薬を製造する装置であって、金属製で円筒形状の本体と、前記本体をシールするための本体蓋と、前記本体の内部に位置し生薬と水とを収納可能な有底の円筒形状の内釜と、該内釜の底部に配置されるリング状の台座リングと、該台座リングの上に載置される有底の円筒形状の内籠と、前記内釜の下端部と隣接する位置に配置された加熱部と、前記本体蓋の中心近傍に配置され前記内籠内を上下動自在な内側チューブと、前記内側チューブの下端部に付設された円盤状の押圧板と、前記本体蓋の上部に垂設され前記内側チューブを内包可能となる外側チューブと、前記外側チューブの上端部に回動自在に配設された前記内側チューブを上下動させるリング形状の回転ハンドルと、前記本体上端部近傍に付設され前記本体蓋を開閉自在にロックするロック部材とからなり、前記内籠の全面に亘り多数形成された所要大きさの貫通孔と、前記内釜の底部中心位置に垂設され浸煎薬を包装機に供給する供給口と、前記供給口と前記本体の外側に続く供給路の途中に配設された開閉弁と、前記開閉弁と連結し前記本体前面に配設された開閉ダイアルとを有し、前記内釜の底部が円筒形状の側壁から前記供給口に向かって傾斜して成り、前記本体蓋と前記内釜とが密封状態を保持し、前記加熱部で前記内釜を加熱することで内部圧力を上昇させ、加圧加熱雰囲気下で短時間に濃い浸煎薬を製造し、前記内部圧力を利用し前記浸煎薬を前記包装機のタンクに移送することを特徴とする浸煎薬器。
【請求項２】
前記本体蓋の前記内側チューブの摺動面と当接する位置に配設されたシール部と、前記シール部を固定する円盤状のバックアップリングと、前記外側チューブ内に貫設され先端部にねじ部を有する前記回転ハンドルと、前記内側チューブの外周面であって前記シール部よりハンドル側に位置する範囲に突設された突起部と、前記外側チューブ内に刻設され前記突起部と嵌合する回転止めの条溝とからなり、前記内側チューブが前記シール部と摺動自在に配置されていることを特徴とする請求項１に記載の浸煎薬器。
【請求項３】
前記台座リングは金属製の丸棒からなり、前記内釜の内径よりやや小さい外径のリング部と、前記リング部の内周面より前記リング部の円中心に向かい突設された所要数の台座棒とからなることを特徴とする請求項１又は請求項２に記載の浸煎薬器
【請求項４】
前記本体上端開口部に延設され径方向外側に向った本体フランジ部と、前記本体フランジ部と対向する位置に延設された蓋フランジ部と、前記本体フランジ部の蓋フランジ部と当接する位置に配設されたＯリングとを有することを特徴とする請求項１から請求項３のいずれか１項に記載の浸煎薬器。
【発明の詳細な説明】
【技術分野】
【０００１】
本発明は、浸煎薬器に関し、詳しくは、顧客が一定期間に亘って服用できる量を、短時間に煎じ提供することを可能にした、浸煎薬器に関するものである。
【背景技術】
【０００２】
従来から、漢方薬を服用するには、一日分の生薬を水とともに土瓶や鍋に入れ、弱火で所定量になるまで煎じた煎薬を作り服用するか、製薬会社が供給している顆粒状やエキス錠剤の漢方薬を服用することが一般的である。
【０００３】
しかし、顆粒状やエキス錠剤の漢方薬は、持ち運びや保存性などの利便性が良い反面、個人の症状に合わせて処方を調整するのが難しいことや、煎薬にはある揮発成分が製造工程で失われる問題がある。さらに、液体状態にして服用した方が消化器にて吸収しやすいことなどから、煎薬の方が効き目は早く、そして強い効能が期待できる。
【０００４】
しかし、各家庭で生薬を煎じる作業は、煎じ過ぎたり、焦げ付かせたり等の失敗をせずに煎じ上げ、漢方薬の所定の効能が得られるように、分量や火加減を調整する正確な作業の難易度は高く、また、非常に手間と時間を要することから、現代の多忙な人が毎日正確に煎じることは困難であった。
【０００５】
このような生薬を煎じる作業の問題に対し、特許文献１には、所定量の生薬と水をセットして、所定の条件を設定しておくだけで、自動的にそれぞれの漢方薬に適した条件で煎じることができ、手動で火加減等を考慮する必要がない漢方薬煎じ器が開示されている。
【先行技術文献】
【特許文献】
【０００６】
【特許文献１】特開２０００−２４０８８号公報
【発明の概要】
【発明が解決しようとする課題】
【０００７】
しかし、特許文献１に記載の漢方薬煎じ器は、各家庭で専用の機械を新たに購入する必要があり経済的負担があること、医師から指定された分量の生薬と水を計量した上で、さらに、温度と時間などの所要条件を設定するなど、老人にとっては作業が煩雑であるなどの問題があった。
【０００８】
本発明は、上記課題を鑑みてなされたものであり、その具体的目的は、漢方薬を購入した顧客に代わって、一定期間に亘って服用する分量の濃い浸煎薬を、短時間に浸煎し得る装置を提供することを目的とする。
【課題を解決するための手段】
【０００９】
本発明は、上記目的を達成するために案出されたものである。詳述するならば、漢方薬の生薬を浸煎し浸煎薬を製造する装置であって、金属製で円筒形状の本体と、前記本体をシールするための本体蓋と、前記本体の内部に配設され生薬と水とを収納する有底の円筒形状の内釜と、該内釜の底部に配置されるリング状の台座リングと、該台座リングの上に載置される有底の円筒形状の内籠と、前記内釜の下端部に隣接する位置に配置された加熱部と、前記本体蓋の径方向の中心近傍に配置され前記内籠の内部で上下動自在な内側チューブと、前記内側チューブの下端部に付設された円盤状の押圧板と、前記本体蓋の上部に垂設され前記内側チューブを内包可能な外側チューブと、前記外側チューブの上端部に回動自在に配設された前記内側チューブを上下動させるリング形状の回転ハンドルと、前記本体上端部近傍に付設され前記本体蓋を開閉自在にロックするロック部材と、前記本体蓋に付設された圧力計と、同じく前記本体蓋に付設された圧力開放弁と、前記本体前面の下部に位置する操作パネルとからなり、前記内籠の全面に亘り所要大きさの貫通孔が多数形成されている構成が含まれる。
【００１０】
本発明の浸煎薬器は、本体蓋と内釜とが密封状態を保持し、加熱部で内釜を加熱することで内部圧力が上昇し、加圧加熱状態で生薬を浸煎することができるので、常圧で浸煎する場合より、短時間で濃い浸煎薬を製造することができる。
【００１１】
本発明には、前記内釜の底部径方向の中心位置に垂設され浸煎薬を自動包装機に供給する供給口と、前記供給口と前記本体の外側に続く供給路の途中に配設された開閉弁と、前記開閉弁と連結し前記本体前面に配設された開閉ダイアルと、前記供給路に一端側を連結され、他端側を自動包装機のタンクに連結された供給パイプとを有し、前記内釜の底部が円筒形状の側壁から前記供給口に向かってやや下向きに傾斜している構成が含まれる。
【００１２】
本発明の浸煎薬器は、上述の供給口と供給路と供給パイプを経て自動包装機のタンクに連結され、さらに、開閉弁を有することで、浸煎薬を製造し終えた状態すなわち内釜内が加圧された状態で開弁すると、内釜内の圧力を利用して浸煎薬を自動包装機のタンクに移送することができる。
【００１３】
また、本発明には、前記本体蓋の前記内側チューブの摺動面と当接する位置に配設されたシール部と、前記シール部を固定する円盤状のバックアップリングと、前記外側チューブ内に貫設され先端部にねじ部を有する前記回転ハンドルと、前記内側チューブの外周面であって前記シール部よりハンドル側に位置する範囲に突設された突起部と、前記外側チューブ内に刻設され前記突起部と嵌合する回転止め条溝とからなり、前記内側チューブが前記シール部と摺動自在に配置されている構成が含まれる。
【００１４】
本発明の浸煎薬器は、本体蓋を閉めた状態で内側チューブ先端に付設された押圧板を上下可能であり、浸煎作業中は、溶媒中に押圧板を下降させ煎じパックに梱包した生薬を保持することができ、浸煎作業後はさらに下降させることで内籠と押圧板とで煎じパック内の有効成分を絞り出すことができ、双方で生薬の有効成分をより濃く浸煎薬に抽出させることができる。
【００１５】
さらに、本発明の前記台座リングは金属製の丸棒からなり、前記内釜の内径よりやや小さい外径のリング部と、前記リング部の内周面より前記リング部の円中心に向かい突設された所要数の台座棒とからなり、前記台座棒の先端は前記供給口まで到達しない長さでなる構成が含まれる。
【００１６】
本発明の浸煎薬器は、前記台座リングを前記内籠下に配置することで浸煎薬の供給通路を確保することができ、浸煎薬が残留する量を減少させることができる。
【００１７】
本発明には、前記本体上端開口部に径方向外側に向かって本体から略直角に延設された本体フランジ部と、前記本体フランジ部と対向する位置に配設された蓋フランジ部と、前記本体フランジ部の蓋フランジ部と当接する位置に埋設されたＯリングとを有する構成が含まれる。
【００１８】
本発明の浸煎薬器は、本体フランジ部と、蓋フランジ部と、夫々が当接する位置に埋設されたＯリングとを有することで、密封状態が保持できるので、高温状態の水蒸気によって生薬内部への浸透性を高めるばかりでなく、溶媒としての水との反応速度を早く進行させ、さらには飽和水蒸気により滅菌処理できる効果がある。
【発明の効果】
【００１９】
本発明の浸煎薬器は、漢方薬を購入した顧客に代わって、一定期間に亘って服用する分量の濃い浸煎薬を、短時間に浸煎し、自動包装機と連動することで滅菌状態の浸煎薬を１回使用分ごとに包装し、顧客に提供できる効果が得られる。
【図面の簡単な説明】
【００２０】
【図１】本実施形態に係る浸煎薬器の外観を示す全体の斜視図である。
【図２】本実施形態に係る浸煎薬器と自動包装機を連結した状態の外観を示す斜視図である。
【図３】図１に示す浸煎薬器のチューブ上下機構を示す拡大断面図である。
【図４】図１に示す浸煎薬器の全体を示す拡大部分断面図である。
【図５】本実施形態に係る浸煎薬器の内籠を取り外した状態を示す上面図である。
【図６】本実施形態に係る浸煎薬器に内籠を配置した状態を示す上面図である。
【図７】自動包装機で包装した状態の浸煎薬を示す正面図である。
【発明を実施するための形態】
【００２１】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
尚、本実施形態において、浸煎薬器を設置した状態を基準に上下方向とし、本体の直径に沿った方向を径方向とし、本体の円周に沿った方向を周方向という。
【００２２】
図１及び図２に示されるように、本実施形態に係る浸煎薬器１は、金属製で円筒形状の本体２と、本体２をシールするための本体蓋３と、本体２の上方部に配設され生薬と水とを収納する有底の円筒形状の内釜４と、内釜４の下端部に隣接する位置に配置された加熱部５と、本体蓋３の上面の径方向中心位置に垂設された外側チューブ６と、外側チューブ６の上端部に回動自在に配設されたリング形状の回転ハンドル７とを有する。
【００２３】
また、本実施形態に係る浸煎薬器１は、本体蓋３の上部に付設された圧力計８と、同じく本体蓋３の上部に付設された圧力開放弁９と、本体２の前面下方部に配置された操作パネル１０とを有する。また、その操作パネル１０には、電源スイッチ１０Ａと、加熱ON・OFFランプ１０Ｂと、内釜温度表示１０Ｃと、内釜温度上限設定ボタン１０Ｄと、タイマー１０Ｅとで構成されている。
【００２４】
図１及び図５に示されるように、本実施形態に係る浸煎薬器１は、本体２の開口部１１に径方向外側に向かって本体２から略直角に延設された本体フランジ部１３と、本体フランジ部１３と対向する位置に配設された蓋フランジ部１４と、本体フランジ部１３と蓋フランジ部１４との周方向所要位置に刻設された本体蓋３をロックするロック部材１５と嵌合する切込み部１６とを有している。
【００２５】
ロック部材１５は、本体２の所要位置に突設された一対の矩形状から成るロック台部１５Aと、ロック台部１５Ａに軸着され上下方向に回動自在のロックボス部１５Ｂと、ロックボス部１５Ｂに螺合されたロックハンドル部１５Ｃと、ロックハンドル部１５Ｃに挿入され本体蓋３を押圧する円筒形のロックカラー部１５Ｄとで構成されている。
【００２６】
また、本体蓋３は、本体フランジ部１３に蝶番部１７を介して開閉自在に配設され、さらに、本体フランジ部１３の蓋フランジ部１４と当接する位置であって、開口部１１のやや径方向外側にＯリング３５が埋設されている。
【００２７】
図４、図５及び図６に示されるように、本実施形態に係る浸煎薬器１は、内釜４の底部に着脱自在に配置されるリング状の台座リング１８と、台座リング１８の上に着脱自在に載置される有底の円筒形状の内籠１９とを有している。
【００２８】
また、内籠１９は、全面に亘り所要大きさの貫通孔１９Ａが、所要間隔をおいて多数形成されている。また、台座リング１８は、金属製の丸棒で形成され、内釜４の内径よりやや小さい外径のリング部１８Ａと、リング部１８Ａの内周面より径方向の円中心に向かい突設された長短長さの違う所要数の台座棒１８Ｂとを有し、台座棒１８Ｂの先端は、内釜４の底部径方向の中心位置に垂設され浸煎薬を自動包装機１００に供給する供給口２０まで到達しない長さで構成され、内釜４の底部は円筒形状の側壁側から供給口２０に向かってやや下向きに傾斜して形成すれば良い。
【００２９】
さらに、供給口２０と本体２の外側に続く供給路２１の途中に配設された開閉弁２２と、開閉弁２２と連結し本体２の前面に配設された開閉ダイアル２３と、本体２の側壁部に突設し自動包装機１００に供給する供給側２５Ａと、廃棄する廃棄口２５Ｂとを切換える切換えバルブ２５と、切換えバルブ２５に一端側を連結され他端側を自動包装機１００のタンク１０１に連結された供給パイプ２４とを有している。
【００３０】
図３及び図４に示されるように、本実施形態に係る浸煎薬器１は、チューブ上下機構と押圧板２６とを有している。
チューブ上下機構は、雄ねじ部７Ａを先端に有する回転ハンドル７と、本体蓋３の上部に垂設され内側チューブ２８が浸入可能となる外側チューブ６と、回転ハンドル７を外側チューブ６に取り付けるためのハンドルボス２７と、外側チューブ６を本体蓋３に螺合するためのチューブボス２９とを有する。
【００３１】
回転ハンドル７は、ハンドルボス２７に圧入されたベアリング３０に回転自在に圧入され、ハンドルボス２７は外側チューブ６の上端部に固定ねじ３１で螺合されている。
外側チューブ６は、略円筒形状の下端部に拡径部６Ａと、拡径部６Ａの内側にはチューブボス２９と螺合する雌ねじ部６Ｂと、内側チューブ２８が浸入可能となる内腔部６Ｃと、内側チューブ２８と嵌合する上下方向に沿った向きに刻設された条溝６Ｄとを有している。
【００３２】
内側チューブ２８は、略円筒形に成形され上端部近傍の径方向外側に突設され条溝６Ｄと嵌合し回転防止となる突起部２８Ａと、上端面の径方向の中心位置から下端部に向けて刻設され、雄ねじ部７Ａと螺合する雌ねじ部２８Ｂとを有し、下端部に押圧板２６が六角ねじ３２で吊着されている。
【００３３】
チューブボス２９は、本体蓋３に下面側より嵌合され上端部の外側に刻設された雄ねじ部２９Ａと、内側チューブ２８が摺動可能となる内径部２９Ｂと、下端部近傍に内側チューブ２８の摺動面と当接するオイルシール３３と、オイルシール３３を固定するバックアップリング３４とを有し、雄ねじ部２９Ａは、外側チューブ６の雌ねじ部６Ｂと螺合し本体蓋３を挟持する。
【００３４】
また、図２に示されるように、本実施例に係る浸煎薬器１と連結して使用する自動包装機１００は、透明の樹脂素材から成る側壁と内側に金属の内籠を有し浸煎薬を溜めるタンク１０１と、タンク１０１を覆い尽くす円盤形状の蓋部１０８と、蓋部１０８を固定するためのロック部材１０２と、浸煎薬に残留する抽出残渣を取り除く不織布から成る煎じフィルター１０７と、長帯ロール形状とした包装フイルム（図示せず）を供給する1対のフィルムローラー１０３，１０３と、包装フイルムを溶着し浸煎薬を充填する充填梱包部１０４とを有し、本願発明の浸煎薬器１と供給パイプ２４を介して連結され浸煎薬が供給されている。
【００３５】
さらに、図７に示す包装された浸煎薬２００を形成するために、充填梱包部１０４は、包装フイルムの進行方向に沿って包装フイルムの両サイド２００Ｂ，２００Ｂを溶着する一対のサイドヒーター（図示せず）と、包装フイルム進行方向に対して直角方向の部分２００Ａを溶着するメインヒーター（図示せず）と、溶着した包装フイルムを波型に切断する切断刃と、浸煎薬を注入する注入ノズル（図示せず）と、容量を計測するセンサー（図示せず）とを有している。
【００３６】
次に本実施形態に係る浸煎薬の製造方法の手順について説明する。まず、処方箋や客注内容に従って生薬の重量を計測し、不織布から成る煎じ袋に収納し、内釜４に設置された内籠１９に入れ、さらに、溶媒である水を所要量計測し投入し、本体蓋３を閉じロック部材１５でロックする。
【００３７】
このロック部材１５は、ロックボス部１５Ｂを回動し、切込み部１６に嵌合させロックカラー部１５Ｄで蓋フランジ部１４を上面から押圧し、ロックハンドル部１５Ｃを締め付けることで本体蓋３をロックすることができる。
【００３８】
さらに、回転ハンドル７を回転し押圧板２６を下降させ、煎じ袋を溶媒中に保持できる位置まで移動した後に、電源スイッチ１０Ａを入れると、加熱部５によって内釜４を加熱し、内釜温度表示１０Ｃで内釜４の内部温度が９５℃に達した時点で、浸煎作業時間を２５分とするタイマー１０Ｅをセットすると共に、内釜温度上限設定ボタン１０Ｄで上限温度を１１０℃にセットする。
【００３９】
加熱ON・OFFランプ１０Ｂとタイマー１０Ｅで浸煎作業時間が経過したことを確認し、回転ハンドル７を回転し押圧板２６を下降させ、内籠１９の底部に煎じ袋を押圧し煎じ袋内の浸煎薬を絞り出す。因みに、浸煎作業中の状態で、内釜４の内部圧力は２気圧〜２．２気圧程度に上昇していると共に、内部温度は略１１０℃程度の高温に加熱されている。
【００４０】
浸煎作業が終了した後は、開閉ダイアル２３で開閉弁２２を開放すると、内釜４の内部圧力により自動で浸煎薬が、タンク１０１内に移動する。
自動包装機は、パックの容量、生産数を設定後、包装作業を開始すると、高温状態の浸煎薬が両サイド２００Ｂと下端部２００Ａが溶着された包装フイルム内に注入ノズルで満たされ、浸煎薬が満たされた位置でメインヒーターが上端部及び次の下端部となる２００Ａを溶着し、切断刃で波型に切断し空気が混入しない状態で浸煎薬２００の包装が完成する。
【００４１】
次に、装置の清掃及び煮沸殺菌方法を説明すると、浸煎作業終了後、さらに、装置の温度が充分低下した後に、内釜４、台座リング１８、内籠１９を洗浄し、切換えバルブ２５を廃棄口２５Ｂに切換えて洗浄水を廃棄する。その後に、蓋部１０８の供給パイプ２４の先端側より洗浄水を流し供給パイプ２４の内部を洗浄する。自動包装機も同様にタンク類、注入ノズルを洗浄後、洗浄水を排水口（図示せず）より排出する。
【００４２】
洗浄が終了したら、両装置を元の状態にセットし、内釜４に水を投入し１１０℃まで加熱し煮沸し殺菌した後、開閉ダイアル２３で開閉弁２２を開放し、熱湯を自動包装機１００に移動させ自動包装機１００の内部及び注入ノズルも殺菌し、熱湯を排水口（図示せず）より排出する。
【００４３】
本実施形態に係る浸煎薬器１と自動包装機１００とで使用される金属部品は、主にステンレス鋼やクロムモリブデン鋼で形成すれば良く、自動包装機１００の側壁は、ポリカーボネートなどの素材、煎じパックと煎じフィルター１０７とは不織布で形成されたものを、包装フイルムはポリエチレンの素材を採用すれば良い。
【００４４】
本実施形態に係る浸煎薬器は、高温・高圧状態の内釜内で発生する飽和水蒸気によって生薬内部への浸透性を高めるばかりでなく、溶媒としての水との反応速度を早く進行させ、常圧で煎じた煎薬に対し、成分濃度が濃く、甘み成分が多い浸煎薬が抽出でき、さらには飽和水蒸気により滅菌処理できる効果がある。
【００４５】
加えて、本実施形態に係る浸煎薬器に自動包装機を連結し、浸煎薬を外気などに触れさせることなく、高温のまま密封パックすることで、雑菌の発生を抑制でき、長期間の保管が可能であり、顧客は使用時にパックごと湯煎するか、お湯で薄めて手軽に服用できる効果がある。
【００４６】
以上のように、本発明を実施するための最良の構成、方法等は、上記記載で開示されているが、本発明は、これに限定されるものではなく、例えば、本実施形態ではチューブボスは本体蓋に着脱することとしたが、それに限定するものではなく、本体蓋に溶接するもしくは一体成形しても良い。
すなわち、本発明の技術的思想及び目的の範囲から逸脱することなく、以上説明した実施形態に対し、形状、材質、数量、使用用途、位置若しくは配置等に対して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【符号の説明】
【００４７】
１    浸煎薬器
２    本体
３    本体蓋
４    内釜
５    加熱部
６    外側チューブ
７    回転ハンドル
８    圧力計
９    圧力開放弁
１０    操作パネル
１０Ａ    電源スイッチ
１０Ｂ    加熱ON・OFFランプ
１０Ｃ    内釜温度表示
１０Ｄ    内釜温度上限設定ボタン
１０Ｅ    タイマー
１１    開口部
１３    本体フランジ部
１４    蓋フランジ部
１５    ロック部材
１６    切込み部
１７    蝶番部
１８    台座リング
１９    内籠
１９Ａ    貫通孔
２０    供給口
２１    供給路
２２    開閉弁
２３    開閉ダイアル
２４    供給パイプ
２５    切換えバルブ
２６    押圧板
２７    ハンドルボス
２８    内側チューブ
２９    チューブボス
３０    ベアリング
３１    固定ねじ
３２    六角ねじ
３３    オイルシール
３４    バックアップリング
３５    Ｏリング
１００    自動包装機
１０１    タンク
１０２    ロック部材
１０３    フィルムローラー
１０４    充填梱包部
１０７    煎じフィルター
１０８    蓋部
２００    包装済み浸煎薬
【要約】
【課題】漢方薬を購入した顧客に代わって、一定期間に亘って服用する分量の濃い浸煎薬を、短時間に浸煎し得る装置を提供する。
【解決手段】金属製で円筒形状の本体２と、本体２をシールするための本体蓋３と、本体２の内部に配設される有底の円筒形状の内釜４と、内釜４の底部に配置される台座リング１８と、台座リング１８の上に載置される有底の円筒形状の内籠１９と、内釜４の下部に配置された加熱部５と、本体蓋３の中心近傍に配置された内側チューブ２８と、内側チューブ２８の下端部に付設された円盤状の押圧板２６と、本体蓋３の上部に垂設され内側チューブ２８を内包可能な外側チューブ６と、外側チューブ６の上端部に回動自在に配設された内側チューブ２８を上下動させるリング形状の回転ハンドル７と、本体蓋３をロックするロック部材１５と、本体蓋３に付設された圧力計８と、同じく本体蓋３に付設された圧力開放弁９とで構成されている。
【選択図】図１【図１】
0006679081.tif 000002
【図２】
0006679081.tif 000003
【図３】
0006679081.tif 000004
【図４】
0006679081.tif 000005
【図５】
0006679081.tif 000006
【図６】
0006679081.tif 000007
【図７】
0006679081.tif 000008